(57)【要約】【課題】第１の鉄筋と第１の鉄筋の外側に第２の鉄筋又は鋼材とが埋設されるコンクリート構造物に第２の鉄筋又は鋼材に直交するひび割れ誘発目地を形成するとき、ふかし部分を設けることなしに、第２の鉄筋又は鋼材について所要のかぶり厚さを確保すること。【解決手段】本発明は、第１の鉄筋（１８）と、この第１の鉄筋の外側に第２の他の鉄筋（２０）又は鋼材とが埋設されたコンクリート構造物（１０）に形成され第２の鉄筋又は鋼材に直交するひび割れ誘発目地（２２）に係る。目地は、第１の鉄筋との間に必要とされるかぶり厚さ（Ｄ１）を規定する第１の底面部（２６）と、第１の底面部に連なる第２の底面部（２８）であって第２の鉄筋又は鋼材との間に必要とされるかぶり厚さ（Ｄ２）を規定する第２の底面部（２８）とを備える。第２の底面部における目地深さ（Ｂ）は、第１の底面部における目地深さ（Ａ）より小さい。【選択図】図１
2015052217.tif 000002
【特許請求の範囲】
【請求項１】
第１の鉄筋と、該第１の鉄筋の外側に他の第２の鉄筋又は鋼材とが埋設されたコンクリート構造物に形成され前記第２の鉄筋又は鋼材に直交するひび割れ誘発目地であって、
前記第１の鉄筋との間に必要とされるかぶり厚さを規定する複数の第１の底面部と、前記第１の底面部に連なり、前記第２の鉄筋又は鋼材との間に必要とされるかぶり厚さを規定する複数の第２の底面部とを有する底面を備え、
前記第２の底面部における目地深さは前記第１の底面部における目地深さより小さい、ひび割れ誘発目地。
【請求項２】
前記第２の底面部は、前記コンクリート構造物の表面に向けて突出する凸面からなる、請求項１に記載のひび割れ誘発目地。
【請求項３】
前記コンクリート構造物と、前記第１の鉄筋及び前記第２の鉄筋とは、それぞれ、壁と、鉄筋格子における鉄筋及び該鉄筋の外側の鉄筋とからなる、請求項１に記載のひび割れ誘発目地。
【請求項４】
前記ひび割れ誘発目地は溝、又は、前記溝と該溝を埋める、前記溝を形成するために用いられた目地棒とからなる、請求項１に記載のひび割れ誘発目地。
【請求項５】
請求項１〜４のいずれか１項に記載のひび割れ誘発目地をコンクリート構造物に形成するために用いられる目地棒であって、
前記ひび割れ誘発目地における前記第１の底面部及び前記第２の底面部をそれぞれ形成する第１の形成面部及び第２の形成面部を有する、目地棒。
【請求項６】
前記第２の形成面部は、前記ひび割れ誘発目地の底面の第２の底面部を規定する凸面に対応する凹面からなる、請求項５に記載の目地棒。
【発明の詳細な説明】
【技術分野】
【０００１】
本発明は、鉄筋コンクリート造の壁や梁のようなコンクリート構造物に設けられるひび割れ誘発目地及びこれを形成するために用いられる目地棒に関する。
【背景技術】
【０００２】
築造後のコンクリート構造物に生じるひび割れを制御するために、前記コンクリート構造物の所定の箇所に一定の目地深さを有するひび割れ誘発目地を形成することが行われている（後記特許文献１参照）。
【０００３】
このようなひび割れ誘発目地が設けられるコンクリート構造物においては、これに埋設された鉄筋のかぶり厚さが、前記鉄筋から前記ひび割れ誘発目地の底面までの距離とされている。ところで、前記コンクリート構造物が、前記鉄筋（第１の鉄筋）の外側にあって前記ひび割れ誘発目地に直交する他の鉄筋（第２の鉄筋）又は鋼材を有するとき、前記第２の鉄筋又は鋼材と前記ひび割れ誘発目地の底面との間に所要のかぶり厚さを確保するためにふかし部分を設けることが行われている。
【先行技術文献】
【特許文献】
【０００４】
【特許文献１】特開２００７−５６５２１号公報
【発明の概要】
【発明が解決しようとする課題】
【０００５】
本発明の目的は、第１の鉄筋と該第１の鉄筋の外側に第２の鉄筋又は鋼材とが埋設されるコンクリート構造物に前記第２の鉄筋又は鋼材に直交するひび割れ誘発目地を形成するとき、ふかし部分を設けることなしに、前記第２の鉄筋又は鋼材について所要のかぶり厚さを確保することにある。
【課題を解決するための手段】
【０００６】
本発明は、第１の鉄筋と、該第１の鉄筋の外側に第２の鉄筋又は鋼材とが埋設されたコンクリート構造物に形成され前記第２の鉄筋又は鋼材に直交するひび割れ誘発目地（以下、この項において単に「目地」という。）に係る。この目地は、前記第１の鉄筋との間に必要とされるかぶり厚さを規定する第１の底面部と、該第１の底面部に連なる第２の底面部であって前記第２の鉄筋又は鋼材との間に必要とされるかぶり厚さを規定する第２の底面部とを備え、前記第２の底面部における目地深さが前記第１の底面部における目地深さより小さいことを特徴とする。
【０００７】
本発明によれば、前記コンクリート構造物中の第１の鉄筋の外側に位置する第２の鉄筋又は鋼材について必要とされるかぶり厚さを、前記目地の第１の底面部に比べて目地深さの浅い第２の底面部との間に確保する。これにより、前記第２の鉄筋又は鋼材についてのかぶり深さの不足を補うためのふかし部分の形成を不要とすることができる。このことは、また、結果的に、比較的薄いコンクリート構造物（例えば壁）を得ることを可能にする。
【０００８】
前記第２の底面部は、前記コンクリート構造物の表面に向けて突出する凸面からなるものとすることができる。
【０００９】
前記コンクリート構造物と、前記第１の鉄筋及び前記第２の鉄筋とは、それぞれ、例えば、壁と、鉄筋格子における鉄筋及び該鉄筋の外側の鉄筋とからなる。この場合には、目地を有する厚さが１８０ｍｍ以下の比較的薄い壁における鉄筋格子のダブル配筋が可能である。
【００１０】
前記ひび割れ誘発目地は溝、又は、前記溝を埋める、該溝を形成するために用いられた目地棒とからなるものとすることができる。
【００１１】
本発明は、また、前記ひび割れ誘発目地をコンクリート構造物に形成するために用いられる目地棒に係り、該目地棒は、前記ひび割れ誘発目地における前記第１の底面部及び前記第２の底面部をそれぞれ形成する第１の形成面部及び第２の形成面部を有する。前記第２の形成面部を前記第２の底面部を規定する凸面に対応する凹面からなるものとすることができる。
【図面の簡単な説明】
【００１２】
【図１】鉄筋コンクリート造の壁（コンクリート構造物）の一部の縦断面図である。
【図２】図１の線２−２に沿って得た横断面図である。
【図３】目地棒の部分縦断面図である。
【図４】図３の線４−４に沿って得た横断面図である。
【図５】目地棒の部分斜視図である。
【発明を実施するための形態】
【００１３】
図１及び図２を参照すると、コンクリート構造物の一例である鉄筋コンクリート造の壁の一部が全体に符号１０で示されている。壁１０には、そのコンクリート１２中に、一対の鉄筋格子１４が埋設されている。両鉄筋格子１４は、壁１０の互いに相対する２つの表面である２つの壁面１６間に互いに間隔をおいて、また、壁面１６と平行に配置されている。各鉄筋格子１４は互いに直交する複数の縦筋（第１の鉄筋）１８と複数の横筋（第２の鉄筋）２０とからなる。図示の例では、各鉄筋格子１４の横筋２０が縦筋１８の外側に位置する。すなわち、各壁面１６寄りに位置する。前記コンクリート構造物の他の例として、鉄筋コンクリート造の梁を挙げることができる。
【００１４】
図１及び図２には、本発明に係る、壁１０の予め定められた所定の箇所に形成され互いに相対する２つのひび割れ誘発目地（以下、単に「目地」という。）２２が示されている。各目地２２は壁１０にそれぞれ断面欠損部を規定し、ここに、壁１０の築造後に生じるひび割れを集中的に誘発する。目地２２は前記外側の横筋２０に対してこれと直交して上下方向へ伸びている。
【００１５】
図示の各目地２２は、台形の横断面形状（図２）を有するいわゆる台形目地と称される、各壁面１６に開放する溝からなり、底面２４を有する。目地２２は、図示の例に代えて、前記溝と該溝を満たす、前記溝を形成するために用いられた後記目地棒２５（図３〜図５参照）とからなるもの（図示せず）とすることができる。目地２２は、上下方向に伸びる図示の例のほか、上下打継用の水平目地であってもよい。
【００１６】
目地２２の底面２４は複数の第１の底面部２６と複数の第２の底面部２８とからなり、これらの両底面部２６、２８は交互に連なっている。第１の底面部２６は壁面１６と平行な平坦面を規定し、第２の底面部２８は壁面１６に向けて突出する凸面を規定する。このため、第１の底面部２６と第２の底面部２８とは、それぞれ、深い（又は大きい）目地深さＤ１と浅い（又は小さい）目地深さＤ２とを規定する。浅い目地深さの第２の底面部２８は、深い目地深さの第１の底面部２６よりも壁面１６寄りに位置する。
【００１７】
目地２２の第１の底面部２６と縦筋１８との間には、縦筋１８について必要とされるかぶり厚さ、すなわち所要のかぶり厚さ又は設計かぶり厚さＡが規定されている。目地２２の各第２の底面部２８は、各鉄筋格子１４の横筋２０に相対しており、第２の底面部２８と横筋２０との間に、横筋２０について必要とされるかぶり厚さ、すなわち所要のかぶり厚さ又は設計かぶり厚さＢが規定されている。
【００１８】
図示の第２の底面部２８は、その縦断面（図１）で見て、台形の形状を有し、上底ａ及びこれに連なる２つの脚ｂを有する。上底ａは、第１の底面部２６及び壁面１６のそれぞれに平行である。
【００１９】
次に、図３を参照すると、目地２２を形成するための目地棒２５の一部が縦断面で示され、また、横筋２０の横断面が想像線で示されている。
【００２０】
目地棒２５は、目地２２の横断面形状（台形、図２）と同一の横断面形状（台形、図４）を有する。目地棒２５は、目地２２の底面２４を形成するための形成面３０を有する。形成面３０は、目地２２の底面２４の各第１の底面部２６及び各第２の底面部２８をそれぞれ規定する第１の形成面部３２及び該第１の形成面部に連なる第２の形成面部３４を有する。
【００２１】
目地棒２５の第１の形成面部３２は平坦面からなり、その横断面（図４）で見て、前記台形の上底ｃに当たる。また、目地棒２５の第２の形成面部３４は凹面からなり、その横断面（図４）で見て、前記台形の下底ｄ（図４）に向けて窪みかつ上底ｃ（図４）に開放している。第２の形成面部３４は、その縦断面（図３）で見て、前記台形の上底ｅ及びこれに連なる２つの脚ｆからなる。
【００２２】
打設されたコンクリート（１２）中に目地２２の第２の底面部２８を形成する目地棒２５の第２の形成面部３４は、図３に示すように、第２の形成面部３４の一部である上底ｅ（これに対応する第２の底面部２８の上底ａ）は、その一部において、横筋２０の周面から必要とされるかぶり厚さｌを隔てた位置にある横筋２０と同軸の仮想円筒面Ｓに接する位置にある。第２の形成面部３４の上底ｅの残りの部分及び両脚ｆ（対応する上底ａの残り及び両脚ｂ）は、それぞれ、仮想円筒面Ｓの外方の位置すなわち必要とされるかぶり厚さｌを超える位置にある。この例に代えて、上底ｅ及び両脚ｆの全てが仮想円当面Ｓの外方に位置するように設定してもよい。第２の形成面部３４（これに対応する第２の底面部２８）の前記縦断面形状（図３及び図１）は、それぞれ、前記台形に代えて、コの字形、仮想円筒面Ｓ上の円弧や、仮想円筒面Ｓをその外方で取り巻く円弧、前記円弧以外の曲線等とすることができる。
【００２３】
図５に示すように、第２の形成面部３４は、目地棒２５とされる木製、プラスチック製等からなる棒材の一部を削り取ることにより、形成することができる。
【００２４】
前記第２の鉄筋に相当するものは、横筋２０のような補強鉄筋以外の幅止め筋のような段取り筋からなるものであってもよい。また、前記第２の鉄筋ではなく、これの代わりの型鋼のような鋼材であってもよい。
【符号の説明】
【００２５】
１０  鉄筋コンクリート造の壁（コンクリート構造物）
１４  鉄筋格子
１６  壁面
１８，２０  縦筋及び横筋
２２  ひび割れ誘発目地
２４  底面
２５  目地棒
２６  第１の底面部
２８  第２の底面部
３０  形成面
３２  第１の形成面部
３４  第２の形成面部
【図１】
2015052217.tif 000003
【図２】
2015052217.tif 000004
【図３】
2015052217.tif 000005
【図４】
2015052217.tif 000006
【図５】
2015052217.tif 000007